【事件の表示】
　特願２００２−２０３９３９「遊技台」拒絶査定不服審判事件〔平成１６年　２月１２日出願公開、特開２００４−　４１４７９〕について、次のとおり審決する。
【結　論】
　本件審判の請求は、成り立たない。
【理　由】
１．手続の経緯
　本願は、平成１４年７月１２日の出願であって、平成２１年３月２７日付け（発送：３月３１日）で拒絶査定され、これに対し、同年４月２０日に拒絶査定不服審判の請求がなされるとともに、同年５月１９日付けで手続補正がなされた。その後、当審において平成２２年９月３０日付けで平成２１年５月１９日付けの手続補正を却下すると共に、同日付けで拒絶理由を通知し、同年１２月６日付けで手続補正がなされたものである。
　
　
２．本件発明
　平成２２年１２月６日付けの手続補正により、特許請求の範囲は、
「【請求項１】
　複数種類の絵柄が施された複数のリールと、
　前記リールの回転を開始させるためのスタートスイッチと、
　前記リールにそれぞれ対応して設けられ、前記リールの回転を停止させるためのストップスイッチと、
　予め定められた入賞役の内部当選の当否を抽選により判定する抽選手段と、
を有し、遊技台内部の
　一定の遊技回数後に得られる、遊技媒体の総投入数に対する遊技媒体の総払出数の割合を調整する設定値の変更操作を許可または不許可に設定するための設定値変更許可スイッチと、
　前記設定変更値許可スイッチの前記設定状態を判断する判断手段と、
を備えた遊技台において、
　前記設定値変更許可スイッチは、２本の信号線を有し、該２本の信号線の接続を切り替え、該２本の信号線をそれぞれハイレベルとローレベルに設定し、一方の信号線がハイレベルで他方の信号線がローレベルのときに前記変更操作の許可設定とし、前記他方の信号線がハイレベルで前記一方の信号線がローレベルのときに前記変更操作の不許可設定とし、
　前記判断手段は、前記２本の信号線の信号がそれぞれ接続される入力ポートを備え、該入力ポートに入力された前記それぞれの信号の状態を検知し、前記２つの信号線が共にハイレベルか、共にローレベルとなったときに、異常状態となったと判定することを特徴とする遊技台。」
　に補正された。
（以下、請求項１に係る発明を、「本件発明」という。）
　
　なお、補正後の請求項１に係る、「前記設定変更値許可スイッチの前記設定状態を判断する判断手段」の事項における「設定変更値許可スイッチ」の記載は、「設定値変更許可スイッチ」の誤記と認める。（以下、当該記載を「前記設定値変更許可スイッチの前記設定状態を判断する判断手段」と読み替える。）
　
　
３．引用文献に記載された事項
（１）当審が通知した拒絶の理由において引用文献１として引用した特開２０００−３２５５４９号公報には、図面とともに、以下の記載がある。
（ア）「【００５２】図２に示す本体４６の内部には、各リール２３Ｌ、２３Ｃおよび２３Ｒを回転駆動させる、可変表示装置の一例となるリールユニット６０（以下、可変表示装置６０ともいう）と、メダルを処理するためのホッパーユニット６６と、電源ボックス６５とが示されている。なお、本体４６の内側で背面板の上部（リールユニット６０の上部を覆う上部リール支持板９７と本体４６の天板との間）には、遊技制御手段の一例となる制御基板が取付けられている。」
（イ）「【００７２】賭数が設定された場合にはスタートランプ部１６が点灯する。これにより、スタートレバー３３を操作可能であるスタート状態になった旨が遊技者に報知される。スタートランプ部１６が点灯している状態でスタートレバー３３を操作すれば、各リール２３Ｌ、２３Ｃおよび２３Ｒが一斉に回転（可変表示ともいう。以下同じ。）し始める。各リール２３Ｌ、２３Ｃおよび２３Ｒには、複数種類の図柄が描かれており、リールの回転に伴って透視窓４３に現れる図柄の種類が次々と変動し、複数種類の図柄が可変表示される。
【００７３】透視窓４３からは、リール間塞ぎ部材５１によって仕切られた３つのリール２３Ｌ、２３Ｃおよび２３Ｒの一部分が視認される
　
　（中略）
　
【００７５】可変表示の開始から所定時間が経過すれば、各ストップボタン２９Ｌ、２９Ｃおよび２９Ｒに設けられたランプが点灯する。これにより、各ストップボタン２９Ｌ、２９Ｃおよび２９Ｒの押圧操作が有効な操作有効状態になったことが遊技者に報知される。各ストップボタン２９Ｌ、２９Ｃおよび２９Ｒは、各リール２３Ｌ、２３Ｃおよび２３Ｒに対応して設けられており、遊技者は自らの操作によって各リール２３Ｌ、２３Ｃおよび２３Ｒを停止させる順序とそのタイミングとを変更できる。遊技者がストップボタン２９Ｌ、２９Ｃおよび２９Ｒのうち、いずれかを押圧操作すれば、対応するストップボタンに設けられたランプが消灯する。その後、操作されたストップボタンに対応するリールの回転が停止する。」
（ウ）「【００８１】図３は、スロットマシン１に用いられている制御回路を示すブロック図である。制御回路は、制御中枢としての制御部（マイクロコンピュータを含む）２６０を含む。
【００８２】遊技状態を制御する遊技制御手段の一例となる制御部２６０は、ビッグボーナス入賞またはレギュラーボーナス入賞を発生させることが可能なゲームにするか否かを事前に決定するとともに、可変表示装置６０（図１、図２参照）の可変表示結果に応じて、ビッグボーナス入賞またはレギュラーボーナス入賞を発生させる。
　
　（中略）
　
【００８３】制御部２６０は、たとえば数チップのＬＳＩで構成されており、その中には、制御動作を所定の手順で実行することのできるＣＰＵ２５１と、ＣＰＵ２５１の動作プログラムを格納するＲＯＭ２５２と、必要なデータの書込みおよび読出しができるＲＡＭ２５４とが含まれている。さらに、制御部２６０は、ＣＰＵ２５１と外部回路との信号の整合性をとるためのＩ／Ｏポート２４９と、電源投入時等にＣＰＵ２５１にリセットパルスを与える初期リセット回路２５５と、ＣＰＵ２５１にＣＰＵを動作させるためのクロック信号を与えるクロック発生回路２５６と、クロック発生回路２５６からのクロック信号を分周して割込パルスを発生し定期的にＣＰＵ２５１に与えるパルス分周回路（割込パルス発生回路）２５７と、ＣＰＵ２５１からのアドレスデータをデコードするアドレスデコード回路２５８と、効果音信号を発生するためのサウンドジェネレータ２５０と、サウンドジェネレータ２５０で発生された効果音信号を増幅するためのアンプ２４８とを含む。
【００８４】制御部２６０はさらに、各種スイッチからの信号をＩ／Ｏポート２４９に与えるためのスイッチ・センサ回路２４２と、Ｉ／Ｏポート２４９を介してＣＰＵ２５１から与えられるモータ駆動信号に応答して左、中、右リール駆動モータ２１２Ｌ、Ｃ、Ｒおよびメダル払い出しモータ２１４を駆動するためのモータ回路２４３および２４４と、同じくＣＰＵ２５１により制御されて流路切換ソレノイド２１５を駆動するためのソレノイド回路２４５と、各種表示器を制御するＬＥＤ回路２４６と、各種ランプを制御するためのランプ回路２４７と、ＲＡＭ２５４のためのバックアップ電源とを含む。こうした各種機器や制御回路には、後述する機器および回路を含め、電源回路２５９から所定の直流電流が供給される。また、ＲＡＭ２５４にはバックアップ電源２５３から記憶保持のための電流が供給されるように構成されており、停電時により電源回路２５９からの電流の供給が行なわれなくなっても、確率設定値や遊技状態を所定期間、記憶しておくことができるように構成されている。
【００８５】ＣＰＵ２５１はパルス分周回路２５７から定期的に与えられる割込パルスに従って、割込制御ルーチンの動作を開始する。また、アドレスデコード回路２５８はＣＰＵ２５１からのアドレスデータをデコードし、ＲＯＭ２５２、ＲＡＭ２５４、Ｉ／Ｏポート２４９、サウンドジェネレータ２５０にそれぞれチップセレクト信号を与える。
【００８６】この実施形態では、ＲＯＭ２５２は、その内容の書替え、すなわち、必要が生じた場合にはその中に格納されたＣＰＵ２５１のためのプログラムを変更することができるように、プログラマブルＲＯＭが用いられている。そして、ＣＰＵ２５１は、ＲＯＭ２５２内に格納されたプログラムに従って、かつ、以下に述べる各制御信号の入力に応答して、前述したリールを駆動するためのリール駆動モータや各種表示ランプ等に対し制御信号を与える。」
（エ）「【００８７】遊技場の管理者等によって確率設定スイッチ２０１が操作された場合には、その操作信号がスイッチ・センサ回路２４２を介してＩ／Ｏポート２４９に入力される。
【００８８】所定のキーによりキースイッチ２０２がキー操作された場合には、その操作信号がスイッチ・センサ回路２４２を介してＩ／Ｏポート２４９に入力される。このキースイッチにより、ゲームモードと確率設定モードの切換えが行なわれ、確率設定モードになっている場合に限り、確率設定スイッチ２０１の入力が受付けられる。リセットスイッチ２０３が所定のキーにより操作された場合にはその操作信号がスイッチ・センサ回路２４２を介してＩ／Ｏポート２４９に入力される。」
　また、図３にはスロットマシンに用いられている制御回路を示すブロック図が、そして図２にはスロットマシンの内部斜視図が示されている。
　
　以上（ア）ないし（エ）の記載、および図面を総合すると、引用文献１には、
「１　本体４６の内側で背面板の上部（リールユニット６０の上部を覆う上部リール支持板９７と本体４６の天板との間）に、遊技制御手段の一例となる制御基板が取付けられている。
　２　複数種類の図柄が描かれた、３つのリール２３Ｌ、２３Ｃおよび２３Ｒを有しており、スタートレバー３３を操作すれば、各リール２３Ｌ、２３Ｃおよび２３Ｒが一斉に回転（可変表示ともいう。以下同じ。）し始め、各ストップボタン２９Ｌ、２９Ｃおよび２９Ｒは、各リール２３Ｌ、２３Ｃおよび２３Ｒに対応して設けられており、遊技者がストップボタン２９Ｌ、２９Ｃおよび２９Ｒのうち、いずれかを押圧操作すれば、操作されたストップボタンに対応するリールの回転が停止する。
　３　制御部２６０は遊技制御手段の一例であって、ＣＰＵ２５１と、ＣＰＵ２５１の動作プログラムを格納するＲＯＭ２５２と、必要なデータの書込みおよび読出しができるＲＡＭ２５４と、ＣＰＵ２５１と外部回路との信号の整合性をとるためのＩ／Ｏポート２４９を含み、各種スイッチあるいはセンサからの信号をスイッチ・センサ回路２４２を介してＩ／Ｏポート２４９に与えるものであり、ＣＰＵ２５１は、ＲＯＭ２５２内に格納されたプログラムに従って、かつ、以下に述べる各制御信号の入力に応答して、前述したリールを駆動するためのリール駆動モータや各種表示ランプ等に対し制御信号を与える。
　４　制御部２６０は、ビッグボーナス入賞またはレギュラーボーナス入賞を発生させることが可能なゲームにするか否かを事前に決定する。
　５　管理者等によって前記各種スイッチに含まれる確率設定スイッチが操作された場合には、その操作信号がスイッチ・センサ回路２４２を介してＩ／Ｏポート２４９に入力され、また、キースイッチ２０２がキー操作された場合には、その操作信号がスイッチ・センサ回路２４２を介してＩ／Ｏポート２４９に入力され、ゲームモードと確率設定モードの切換えが行なわれ、そして、確率設定モードになっている場合に限り、確率設定スイッチ２０１の入力がその操作信号がスイッチ・センサ回路２４２を介してＩ／Ｏポート２４９に入力されることによって受付けられる。
　６　スロットマシン。」
　の発明が開示されていると認めることができる。
（以下、この発明を「引用発明１」という。）
　
　（２）また、当審が通知した拒絶の理由において引用文献２として引用した特開平７−２２１６７９号公報には、図面とともに、以下の事項が記載されている。
（オ）「【０００３】電線による信号伝送は、簡単な電気工事で電線を敷設することができるが、外来ノイズに影響を受けやすい欠点がある。そこで、外来ノイズの影響を最小限に抑える方法として、図１のような差動信号伝送方式がある。送信器１と受信器２との間には２本１組の電線３，４が接続される。送信器１には入力されたデジタルパルス信号Ａから位相が反転した２つのデジタルパルス信号Ｂ１ ，Ｂ２ を生成し、２本の電線３，４に夫々供給するドライバ５が設けられている。また、受信器２には２本の電線３，４で送られた２つのデジタルパルス信号Ｂ１ ，Ｂ２ を差動出力して出力信号Ｃを得るレシーバ６が設けられている。そして、レシーバ６の２つの入力端の間には、電線３，４間の分布定数によるデジタルパルスの反射を防ぐための終端抵抗７が接続されている。図２は入力信号Ａ、伝送される２つの差動信号Ｂ１ ，Ｂ２ および出力信号Ｃを示す。差動信号伝送ラインである２本の電線３，４に対し、外来ノイズＮはコモンモードで侵入するが、一種の差動増幅器であるレシーバ６でノイズＮはキャンセルされるため、レシーバ６から入力信号Ａと同一波形の出力信号Ｃが得られる。」
（カ）「【０００５】
【課題を解決するための手段】第１の発明は一方向の差動信号伝送システムに関するものであり、送信器と受信器との間に２本１組の伝送ラインが接続され、送信器には位相が反転した２つの信号を２本の伝送ラインに夫々供給するドライバが設けられ、受信器には２本の伝送ラインから送られた２つの信号を差動出力するレシーバが設けられ、このレシーバの２つの入力端の間に終端抵抗が接続される。上記伝送ラインの片方にフォトカプラの発光ダイオードが接続され、この発光ダイオードと並列に逆向きのバイパス用ダイオードが接続され、フォトカプラにより断線が検出される。　第２の発明は双方向の差動信号伝送システムに関するものであり、第１の送受信器と第２の送受信器との間に２本１組の第１伝送ラインと２本１組の第２伝送ラインとが接続される。第１の送受信器には位相が反転した２つの信号を第１伝送ラインに夫々に供給する第１ドライバと、第２伝送ラインから送られた２つの信号を差動出力する第１レシーバと、第１レシーバの２つの入力端の間に接続された終端抵抗とが設けられる。第２の送受信器には位相が反転した２つの信号を第２伝送ラインに夫々供給する第２ドライバと、第１伝送ラインから送られた２つの信号を差動出力する第２レシーバと、第２レシーバの２つの入力端の間に接続された終端抵抗とが設けられる。第１伝送ラインの片方に第１フォトカプラの発光ダイオードが接続され、この発光ダイオードと並列に逆向きの第１バイパス用ダイオードが接続される。そして、第２伝送ラインの片方にも第２フォトカプラの発光ダイオードが接続され、この発光ダイオードと並列に逆向きの第２バイパス用ダイオードが接続される。第１，第２フォトカプラにより、第１伝送ラインと第２伝送ラインの断線が検出される。
【０００６】
【作用】第１の発明において、２本の伝送ラインが共に断線していない場合には、一方の伝送ラインから終端抵抗を経て他方の伝送ラインへ電流が流れる。いずれかの伝送ラインにはフォトカプラの発光ダイオードが接続されているので、この発光ダイオードを流れる電流のため発光し、フォトカプラの受光素子が動作する。これにより、断線していないことを確認できる。一方、伝送ラインのいずれかが断線すると、電流が一方の伝送ラインから終端抵抗を経て他方の伝送ラインへ流れないため、フォトカプラが動作しない。そのため、断線したことを容易に検出できる。フォトカプラは断線検出回路と伝送ラインとを電気的に分離できるので、ノイズによる断線検出回路の誤動作を防止できる。なお、バイパス用ダイオードを並列に接続したのは、伝送ラインに逆方向に流れる電流を通すためである。第２の発明は、双方向通信を行うため２本１組の伝送ラインを第１送受信器と第２送受信器との間に２系統設けたものである。この場合、第１伝送ラインと第２伝送ラインの双方に第１発明と同様のフォトカプラおよびバイパス用ダイオードを接続することにより、断線検出を行う。なお、断線検出装置を構成するフォトカプラおよびバイパス用ダイオードの接続位置は送信器側または受信器側の何れでもよい。ただ、無人の機器（受信器）に信号を送信して遠隔操作する場合には、送信器側に設ける方が望ましい。フォトカプラを受信器側に設けると、フォトカプラの検出信号を送信器側へ送るための長い伝送ラインを別に設ける必要があるからである。」
（キ）「【００１１】図４は本発明にかかる差動信号伝送システムの他の例を示す。２０は第１送受信器、２１は第２送受信器であり、両者の間には長い第１ケーブル２２と第２ケーブル２３とが接続されている。各ケーブル２２，２３はそれぞれ２本の電線２２ａ，２２ｂおよび２３ａ，２３ｂで構成されている。この場合には、第１，第２ケーブル２２，２３を介して双方向に通信できるので、第１，第２送受信器２０，２１としてはコントローラと遠隔操作機器との組み合わせに限らず、コンピュータとコンピュータとの組み合わせなど、如何なる組み合わせでもよい。
【００１２】第１送受信器２０には第１ドライバ２４と第１レシーバ２５とが設けられている。第１ドライバ２４は、入力されたデジタルパルス信号Ｄから位相が反転した２つのデジタルパルス信号Ｅ１ ，Ｅ２ を生成し、２本の送信用電線２２ａ，２２ｂに夫々供給する。第１レシーバ２５は、２本の受信用電線２３ａ，２３ｂから送られた２つのデジタルパルス信号Ｈ１ ，Ｈ２ を差動出力して出力信号Ｉを得る。第２送受信器２１には第２ドライバ２６と第２レシーバ２７とが設けられている。第２ドライバ２６は入力されたデジタルパルス信号Ｇから位相が反転した２つのデジタルパルス信号Ｈ１，Ｈ２ を生成し、２本の受信用電線２３ａ，２３ｂに夫々供給するものであり、第２レシーバ２７は２本の送信用電線２２ａ，２２ｂから送られた２つのデジタルパルス信号Ｅ１ ，Ｅ２ を差動出力して出力信号Ｆを得るものである。なお、第１レシーバ２５および第２レシーバ２７の入力端の間には夫々終端抵抗２８，２９が接続されている。
【００１３】第１送受信器２０側には、第１ケーブル２２の片側の電線（例えば２２ａ）にフォトカプラ３０の発光ダイオード３０ａが接続され、この発光ダイオード３０ａと並列にバイパス用ダイオード３１が接続されている。一方、第２ケーブル２３の片側の電線（例えば２３ｂ）にもフォトカプラ３２の発光ダイオード３２ａが接続され、この発光ダイオード３２ａと並列にバイパス用ダイオード３３が接続されている。フォトカプラ３０，３２の受光素子３０ｂ，３２ｂは夫々断線検出回路３４，３５に接続されている。
【００１４】上記伝送システムの動作は図３の実施例と同様であり、入力信号Ｄ，Ｇは信号Ａと、信号Ｅ１ ，Ｅ２ およびＨ１ ，Ｈ２ は信号Ｂ１ ，Ｂ２ と、出力信号Ｆ，Ｉは信号Ｃと夫々対応するため、説明を省略する。この場合も、ケーブル２２，２３のいずれかの電線が断線した場合には、フォトカプラ３０，３２が動作しなくなるので、断線検出回路３４，３５で簡単に断線を検出できる。」
　
　以上（オ）ないし（キ）の記載、及び図面を総合すると、引用文献２には、
「７　ノイズの影響を最小限に抑える伝送方式であって、送信器１と受信器２との間には２本１組の電線３，４が接続され、一本の電線へは設定したレベルである信号をそのまま送信し、もう一方の電線へは信号を反転したレベルの信号を送信する、ノイズの影響を最小限に抑えることができる差動信号伝送方式。
（図１参照）
　８　他の例として、入力信号Ｇ（ローレベルおよびハイレベル信号）が送信側の第２ドライバ２６に入力されると、第２ドライバ２６は２本の信号線（２３ａ，２３ｂ）にそれぞれハイレベルとローレベル（信号Ｇがハイレベルのとき２３ａ，２３ｂはそれぞれローレベルとハイレベル、信号Ｇがローレベルのとき２３ａ，２３ｂはそれぞれハイレベルとローレベル）の信号を出力し、受信側の第１レシーバ２５において前記２本の信号線が終端抵抗２８を介して接続され、一方の信号線２３ｂがハイレベルで他方の信号線２３ａがローレベルのときハイレベルの信号Ｉが出力され、一方の信号線２３ｂがローレベルで他方の信号線２３ａがハイレベルのときローレベルの信号Ｉが出力される作動信号伝送装置であって、信号線の片方にフォトダイオード３２ａが設けられ、信号線のいずれかが断線すると電流が一方の信号線から終端抵抗２８を経て他方の信号線に流れないため、フォトカプラ３２が動作せず、断線が検出できる装置。」
（図４、上側回路参照）
　の発明が開示されていると認めることができる。
（以下、この発明を「引用発明２」という。）
　
　（３）さらに、当審が通知した拒絶の理由において引用文献３として引用した特開２０００−３６３０号公報（以下、「周知文献３」という。）には、図面とともに、以下の事項が記載されている。
（ク）「【０００２】
【従来の技術】従来からマイコンを用いたスイッチ入力回路には各種のものが実用化されているが、その中でも中立位置を備えた二接点スイッチを用いたものが電子機器の動作制御に多く用いられており、このようなスイッチ入力回路を図６の回路図を用いて説明する。
【０００３】同図において、１は電子機器を制御するマイコン、２はマイコン１に配された第一の入出力ポートで、２Ａは第一の入出力ポート２の出力バッファ、２Ｂは出力バッファ２Ａの出力制御信号、２Ｃは出力バッファ２Ａへ供給される出力信号、２Ｄは第一の入出力ポート２の入力バッファ、２Ｅは入力バッファ２Ｄを介した入力信号である。
　
中略
　
【０００８】そして、二接点スイッチ６の共通端子６Ｃが中立位置６Ｎの時は、第１端子６Ａおよび第二端子６Ｂの両方が開放となるので、Ｖｃｃラインに接続されたプルアップ抵抗４および５によって入力信号２Ｅおよび３Ｅの両方がＶｃｃレベルとなり、共通端子６Ｃが第二端子６Ｂに接続された時は、第二の入出力ポート３に接続された第二端子６ＢがＧＮＤラインに接続されるので、入力信号３ＥがＧＮＤレベルとなり、第一の入出力ポート２に接続された第一端子６Ａが開放となるので、入力信号２ＥがＶｃｃラインに接続されたプルアップ抵抗４によってＶｃｃレベルとなり、このような二接点スイッチ６の接続状態による二つの入力信号２Ｅ，３Ｅの組合せの違いによって、二接点スイッチ６の接続状態を判別して、電子機器の動作制御を行うものであった。」
　
　以上（ク）の記載、及び図面を総合すると、周知文献３には、
「９　マイコンを用いたスイッチ入力回路において、二接点スイッチ６は、２本の信号線を有し、該２本の信号線の接続を切り替え、該２本の信号線をそれぞれＶｃｃとＧＮＤに設定することによって設定を行い、マイコンはそれぞれの信号線の電圧を判別することによって二接点スイッチ６の接続状態を判別する。」
　という周知技術が開示されていると認めることができる。
（以下、この発明を「周知技術３」という。）
　
　（４）さらにまた、当審が通知した拒絶の理由において引用文献４として引用した特開２００１−２３０６９号公報（以下、「周知文献４」という。）には、図面とともに、以下の事項が記載されている。
（ケ）「【０００８】また、本発明の緊急通報システム端末装置は、前記制御部が、前記断線による開放状態、スイッチが押下されていない通常状態、スイッチが押下されている動作状態、ショートによる断線状態を示す信号を、前記２本の信号線の“Ｈ”信号と“Ｌ”信号を用いて４通りの信号により、識別することを特徴とした構成を有している。この構成により、“Ｈ”“Ｌ”のディジタル信号を用いるため、緊急通報発信釦の４ステータスを正確に把握することができることとなる。」
（コ）「【００２６】（実施の形態４）図４は緊急通報発信釦３と制御部１２の詳細を示す別の回路図である。本実施の形態４が実施の形態２と異なる点は、信号線Ｂを、緊急通報発信釦３側で車両のボディーＧＮＤに接続していること、および信号線Ｂを緊急通報システム端末装置ｌ側で第４の抵抗Ｒ４によりプルアツプしている点であり、それ以外の構成は、実施の形態２と同様である。
【００２７】 緊急通報発信釦３のボディーＧＮＤの電位をＶＧＮＤ とし、制御部１２において、緊急通報発信釦３のステータスの認識を、導線Ａと導線Ｂの差分で判別するとすると、導線Ａが断線した場合、マイコンである制御部１２のＡＤコンバータ１２１の電位検出部は、抵抗Ｒ１を介してプルアップされている状態に移行するため、電圧Ｖ−ＶＧＮＤ を検出する。スイッチ３１が押下されていない通常状態の場合、制御部１２の電位検出部は、電圧｛(Ｒ２+Ｒ３)／(Ｒ１+Ｒ２+Ｒ３)｝Ｖ―ＶＧＮＤ を検出する。スイッチ３ｌが押下された動作状態の場合、制御部１２は、電圧｛Ｒ１／(Ｒ１+Ｒ３)｝Ｖ−ＶＧＮＤ を検出する。導線Ａがショートによる短絡状態の場合、制御部１２は０Ｖを検出する。導線Ｂがショートによる短絡状態の場合、制御部ｌ２は基準ＧＮＤと同一の電位に移行するため、正常状態を維持する。さらに導線Ｂの電位を単独で監視することにより、断線による開放状態に移行した場合、導線Ｂ側の電位はＶになるため、開放状態に移行したことを認識することが可能になる。」
　
　以上（ケ）、（コ）の記載、及び図面を総合すると、周知文献４には、
「１０　２つの状態を選択するスイッチから２本の信号線によって、スイッチの状態を示す信号を送るに際して、“Ｈ”信号と“Ｌ”信号を用いて４通りの信号を送り、スイッチの２つの状態を送るほか、異常を示す２つの状態を示す信号を送信する。
　１１　送信された信号は、その電位がマイコンである制御部の電位検出部で検出され、電位の組合せに基づいて信号線の状態が判断できる。」
　という周知技術が開示されていると認めることができる。
（以下、この発明を「周知技術４」という。）
　
　
４．対比
　ａ）引用発明１の「本体４６」、「図柄」、「３つのリール２３Ｌ、２３Ｃおよび２３Ｒ」、「スタートレバー３３」および「ストップボタン２９Ｌ、２９Ｃおよび２９Ｒ」は、それぞれ本件発明の「遊技台」、「絵柄」、「複数のリール」、「スタートスイッチ」および「ストップスイッチ」に相当する。
　したがって、引用発明１における、
「２　複数種類の図柄が描かれた、３つのリール２３Ｌ、２３Ｃおよび２３Ｒを有しており、スタートレバー３３を操作すれば、各リール２３Ｌ、２３Ｃおよび２３Ｒが一斉に回転（可変表示ともいう。以下同じ。）し始め、各ストップボタン２９Ｌ、２９Ｃおよび２９Ｒは、各リール２３Ｌ、２３Ｃおよび２３Ｒに対応して設けられており、遊技者がストップボタン２９Ｌ、２９Ｃおよび２９Ｒのうち、いずれかを押圧操作すれば、操作されたストップボタンに対応するリールの回転が停止する。
　６　スロットマシン。」は、
　本件発明における、
「複数種類の絵柄が施された複数のリールと、前記リールの回転を開始させるためのスタートスイッチと、前記リールにそれぞれ対応して設けられ、前記リールの回転を停止させるためのストップスイッチと、を有した遊技台」に対応する。
　
　ｂ）引用発明１は「４　制御部２６０は、ビッグボーナス入賞またはレギュラーボーナス入賞を発生させることが可能なゲームにするか否かを事前に決定する」ものであり、このときの「ビッグボーナス入賞」や「レギュラーボーナス入賞」が本件発明の「予め定められた入賞役」に相当することは明らかである。また、それらの入賞役を「発生させることが可能なゲームとするか否か事前に決定する」ことは、本件発明における「入賞役の内部当選の当否を判定する」に対応することも明らかである。そして、スロットマシンにおいて、入賞役の内部当選の当否を抽選により判定することは慣用手段である。
　したがって、引用発明１と本件発明とは「予め定められた入賞役の内部当選の当否を抽選により判定する抽選手段」を有している点で一致している。
　
　ｃ）引用発明１において、「確率設定スイッチ２０１」からの入力がどのようなものか明確ではないが、「確率設定スイッチ２０１」が「確率を設定するスイッチ」であることは明らかであり、スロットマシン等の遊技機において、管理者等によって設定される確率といえば各種入賞（小役やボーナス役）の当選確率を意味していることは技術常識であるから、「確率設定スイッチ２０１」により入力されるものは、各種入賞の「当選確率に対応する値」（以下、これを「確率値」という。）であることは明らかである。
　したがって、引用発明１は、「確率設定スイッチ２０１」からの入力によって「確率値」を（変更）操作できるものといえる。
　そして、この「確率値」は設定値であり、引用発明１は、「キースイッチ２０２」が操作されるか否かによって、確率設定スイッチ２０１の操作による入力が受け付けられるか否か切換わるのであるから、引用発明１と本件発明は、「設定値の変更操作を許可または不許可に設定するための設定値変更許可スイッチ」を備えている点で共通している。
　また、引用発明１は、「キースイッチ２０２」が操作されたか否かで「確率設定スイッチ２０１」の操作（による入力）を受け付けるか否か切換えている、つまり、「キースイッチ２０２」の操作状態を判断している（判断手段を備えている）のであるから、引用発明１と本件発明とは、「設定値変更許可スイッチの設定状態を判断する判断手段」を備えている点で共通している。
　
　ｄ）引用発明１の「５　キースイッチ２０２がキー操作された場合には、その操作信号がスイッチ・センサ回路２４２を介してＩ／Ｏポート２４９に入力され、ゲームモードと確率設定モードの切換えが行なわれ、確率設定モードになっている場合に限り、確率設定スイッチ２０１の入力がその操作信号がスイッチ・センサ回路２４２を介してＩ／Ｏポート２４９に入力されることによって受付けられる。」ことは、
　本件発明の「一定の遊技回数後に得られる、遊技媒体の総投入数に対する遊技媒体の総払出数の割合を調整する設定値の変更操作を許可または不許可に設定するための設定値変更許可スイッチ」は、「２本の信号線を有し、該２本の信号線の接続を切り替え、該２本の信号線をそれぞれハイレベルとローレベルに設定し、一方の信号線がハイレベルで他方の信号線がローレベルのときに前記変更操作の許可設定とし、前記他方の信号線がハイレベルで前記一方の信号線がローレベルのときに前記変更操作の不許可設定とし」のうち、設定の変更操作を許可または不許可に設定するための設定値変更許可スイッチが信号線を有するという点、及び、判断手段が信号線の状態を検知し、これに基づいて設定値変更許可スイッチの設定状態を判断するという点において共通する。
　また、引用発明１でキースイッチ２０２の操作状態を判断している手段（判断手段）は、キースイッチの操作状態を示す信号が信号線を介してＩ／Ｏポートに入力され、Ｉ／Ｏポートの状態を検知していることは明らかであるから、本件発明と引用発明１は、「判断手段は、信号線の信号が接続される入力ポートを備え、該ポートに入力された信号の状態を検出」している点で共通している。
　
　以上のことから、引用発明１と本件発明は、
　＜一致点＞
「複数種類の絵柄が施された複数のリールと、
　前記リールの回転を開始させるためのスタートスイッチと、
　前記リールにそれぞれ対応して設けられ、前記リールの回転を停止させるためのストップスイッチと、予め定められた入賞役の内部当選の当否を抽選により判定する抽選手段と、を有し、」
遊技台に「設定値の変更操作を許可または不許可に設定するための設定値変更許可スイッチと、
設定変更許可スイッチの前記設定状態を判断する判断手段」
が備えられ、
「前記設定値変更許可スイッチは、信号線を有し」
「判断手段は、信号線の信号が接続される入力ポートを備え、該入力ポートに入力された信号の状態を検知している」
「遊技台」
　である点で一致しており、以下の点で相違している。
　
　＜相違点１＞
　本件発明は、変更する設定が「一定の遊技回数後に得られる、遊技媒体の総投入数に対する遊技媒体の総払出数の割合を調整する設定値」であるのに対し、
　引用発明１は、変更する設定が前記で認定したように「確率値」である点
　＜相違点２＞
　本件発明は、「遊技台内部に、」「判断手段」及び「設定値変更許可スイッチ」を備えているのに対し、
　引用発明１は、どこに「判断手段」及び「設定値変更許可スイッチ」が備えられているのか不明である点
　＜相違点３＞
　本件発明は、設定値変更許可スイッチが「２本の信号線を有し、該２本の信号線の接続を切り替え、該２本の信号線をそれぞれハイレベルとローレベルに設定し、一方の信号線がハイレベルで他方の信号線がローレベルのときに前記変更操作の許可設定とし、前記他方の信号線がハイレベルで前記一方の信号線がローレベルのときに前記変更操作の不許可設定と」するものであるのに対し、
　引用発明１は、キースイッチ（本件発明の設定値変更許可スイッチに対応するもの）が備えている信号線の数が不明であり、キースイッチが２本の信号線の接続を切り替えるという構成はなく、また２本の信号線をそれぞれハイレベルとローレベルに設定し、一方の信号線がハイレベルで他方の信号線がローレベルのときに前記変更操作の許可設定とし、前記他方の信号線がハイレベルで前記一方の信号線がローレベルのときに前記変更操作の不許可設定とする構成がない点
　＜相違点４＞
　本件発明は、「前記判断手段は、前記２本の信号線の信号がそれぞれ接続される入力ポートを備え、該入力ポートに入力された前記それぞれの信号の状態を検知し、前記２つの信号線が共にハイレベルか、共にローレベルとなったときに、異常状態となったと判定する」ものであるのに対し、
　引用発明１は、上記のような構成を有していない点
　
　
５．判断
　＜相違点１＞について
　本件発明における「一定の遊技回数後に得られる、遊技媒体の総投入数に対する遊技媒体の総払出数の割合を調整する設定値」に対応する記載（本願明細書、段落【０００３】〜【０００４】、【００６７】〜【００６８】）をみると、当該設定値は「１」から「６」までの値であるが、具体的（段落【００６８】参照）には「所定の遊技回数を経たのちの、遊技媒体の総投入枚数に対する遊技媒体の総払出枚数の割合を調整する値」と記載され、さらに具体的には、「この設定値には、設定値毎に入賞役の抽選データテーブルが存在し、各抽選データテーブルには、入賞役の内部抽選時に取得される乱数値の範囲がいくつかの領域に分割されて設定されている。すなわち、乱数値のとりうる範囲に対する各領域の範囲の大きさが、各入賞役の内部当選の確率となる。例えば、設定値「１」では、ＢＢの当選確率が「１／４００」に設定され、設定値「６」では「１／２４０」に設定されることとなり、設定値の数字が大きくなれば内部当選確率が高くなるように設定されている。」と記載されていて、それ以外の記載はない。
　すなわち、本件発明における上記「設定値」は、実質的にＢＢ（ビッグボーナス）等の当選役の当選確率に対応する値であり、それ以上の意味を持つものではない。
　してみると、引用発明１において確率設定スイッチ２０１によって設定される「確率値」と本件発明の「一定の遊技回数後に得られる、遊技媒体の総投入数に対する遊技媒体の総払出数の割合を調整する設定値」とに実質的な相違はないといえる。
　
　＜相違点２＞について
　この種の遊技台において、判断手段を、遊技制御手段の中にあって、物理的には遊技機の内部に備えられるようにすることや、設定値変更許可スイッチを遊技台内部に備えることは、一般に周知な技術であるので、引用発明１に当該周知技術を付加し、「遊技台内部に、」「判断手段」及び「設定値変更許可スイッチ」を備えるようにすることは、単なる周知技術の付加に過ぎないので、当業者が容易に想到し得たものである。
　
　＜相違点３＞について
　引用発明１は、キースイッチが操作されたとき、当該操作に基づく信号が信号線を介してＩ／Ｏポートに入力され、当該信号に基づいてＣＰＵによる処理によりゲームモードと確率設定モードが切換えられ、確率設定モードになっている場合のみ、確率設定スイッチの入力が受付けられるものである。
　つまり、引用発明１において、キースイッチからＩ／Ｏポートに信号を伝送する信号線の本数や、キースイッチが操作されたとき信号線にどのような信号が出力されるのか等は不明であるが、キースイッチが操作されたときにＩ／Ｏポートに出力される信号には、少なくとも、確率設定スイッチの入力が受け付けられないゲームモードにするための第１の信号と、確率設定スイッチの入力が受け付けられる確率設定モードにするための第２の信号が存在し、そしてキースイッチの操作によって、信号線に当該第１の信号あるいは第２の信号を出力するようになっていることは明らかである。
　ところで、引用発明１において、確率設定スイッチの入力を受け付けることを表す第１の信号と受け付けないことを表す第２の信号は、１ビットの信号、すなわちハイレベル信号とローレベル信号で表現でき、当該１ビットの信号が１本の信号線で伝送できることは自明であるので、引用発明１においてはキースイッチからの信号は、１本の信号線で１ビットの信号を伝送する伝送方式（これは一般的なものである）であると予測できるのは請求人の主張通りであるが、１本の信号線で１ビットの信号を伝送する伝送方式は、信号線にノイズが混入しやすく、また断線や短絡等の異常に対処し難いという問題点があることはよく知られたところである。
　また、遊技機の技術分野において、信号線にノイズを混入させたり、信号線を切断・短絡させたりするような不正が行われていることは知られており、このような不正に対処すべきこともまた知られたことである。
　以上のことを鑑みれば、遊技機の技術分野における信号の伝送において、各種ノイズ、信号線の切断・短絡等に対処できる適当な信号伝送方式の採用を試みることは普通に考えることである。
　一方、各種ノイズ、信号線の切断・短絡等に対処できる信号伝送方式として、１ビットの信号の伝送に２本の信号線を使用し、１ビット信号を位相が反対になる２種類の１ビットの信号（一方がハイレベル信号の場合、他方がローレベル信号となる信号）に変換して各信号をそれぞれの信号線で伝送する方式は、引用発明２にあるように知られた技術である。
（引用発明２のほか、例えば、特開平４−３７２３１号公報にも記載されている。）
　また、スイッチが２本の信号線を有し、スイッチと該２本の信号線のいずれかとを接続することにより位相が反対になる２種類の１ビット信号を生成するもの（特に、図６参照。なお、中間位置を設けないようにすることも設計的事項にすぎない。）も、周知文献３に開示されているように周知である。
　してみると、引用発明１のキースイッチ（本件発明の「設定値変更許可スイッチ」に対応する。）と制御部との間の信号伝送に、引用発明２にあるような信号伝送方式を適用し、また当該キースイッチを周知技術３にあるようなものにして、キースイッチ（設定値変更許可スイッチ）が「２本の信号線を有し、該２本の信号線の接続を切り替え、該２本の信号線をそれぞれハイレベルとローレベルに設定し、一方の信号線がハイレベルで他方の信号線がローレベルのときに前記変更操作の許可設定とし、前記他方の信号線がハイレベルで前記一方の信号線がローレベルのときに前記変更操作の不許可設定と」するものとすることは当業者が容易に想到し得たと認められる。
　なお請求人は、「各種の伝送方式」を適用することが直ちに信号線を複数本設けることに結びつくものではない、引用発明１の信号線を何の理由もなしに２本にして回路を複雑にすることは考えられない等主張するが、引用発明１のようなスロットマシン（遊技機）においては、ノイズの混入や信号線の切断・短絡に対処すべきというよく知られた課題があるのであるから、多少の構成の複雑さを伴うとしても、当該課題を解決する手段として引用発明２のような（当該問題に対処できる伝送方式であって周知な）伝送方式を適用することは容易に想到できると認められ、上記請求人の主張は採用できない。
　
　＜相違点４＞について
　引用発明２は、信号線の片方にフォトダイオードが設けられ、信号線のいずれかが断線すると、終端抵抗間に電位差が生じず、電流が一方の信号線から終端抵抗２８を経て他方の信号線に流れずフォトカプラ３２が動作しないため、断線が検出できるものであるが、図４から明らかなように、２本の信号線がそれぞれハイレベルとローレベルになるときのみ第１レシーバ２５から出力が得られ、しかも、２本の信号線がいずれもハイレベルになるか、あるいはいずれもローレベルとなるときは、信号線間に電位差が生じないのであるから第１レシーバ２５から出力が得られないだけでなく、終端抵抗２８を経て信号線に電流が流れないためフォトカプラも動作しない。
　つまり引用発明２は、２本の信号線がいずれもハイレベル、あるいはいずれもローレベルとなるときを異常状態として確認できるものである。
　ところで請求人は、引用発明２は、２本の信号線は存在していても、２本の信号線は終端抵抗を介して１つのループ状回路を形成しており、実質的に１本の信号線の信号レベルを検知していることに他ならない旨主張するが、引用発明２は、２本の信号線のレベルを検知する手段として差動増幅回路を用いるものであって、引用発明２は２本の信号線の各レベルがハイレベルとローレベルであるか、あるいはローレベルとハイレベルであるかを検知するものであり、上記請求人の主張は採用できない。
　そして、そもそも引用発明２のように２本の信号線によって逆位相の信号を伝送する差動伝送方式では、両信号線の電位の位相（レベル）が逆であるときのみ正常な伝送とすることを前提としていることは明らかであり、それ以外の場合、つまり両信号線の電位が同位相（ハイレベルとハイレベル、ローレベルとローレベル）の場合は異常状態であることは自明な事項であって、両信号線の電位が同位相であるという異常を、引用発明２ではフォトカプラの動作によって（両信号線の電位が同位相である場合フォトカプラが動作しないことを利用して）検出しているものと理解できる。
（両信号線の電位が同位相である場合、フォトカプラが動作しないことを利用して、信号が異常であると判断することは、先に挙げた周知例である特開平４−３７２３１号公報にも記載されている。）
　さらに、２本の信号線の電位の組合せに基づいてＣＰＵが異常を判定することも周知技術３，４にあるように周知である。
　してみると、両信号線の電位が同位相であることをフォトカプラの動作で検知することを、両信号線の電位が同位相であること（信号線が共にハイレベルか、共にローレベルであること）自体を検知することに換えるのは、単なる設計変更にすぎないといえる。
　したがって、「２本信号線の状態を検知し、前記２つの信号線が共にハイレベルか、共にローレベルとなったときに、異常状態となったと判定する」ことは、引用発明２および周知技術から容易に想到できたといわざるを得ない。
　なお請求人は、本願発明は、「筺体外部から針金等を挿入して信号線にアクセスされ設定値変更許可スイッチが不正操作されることを防止」するという課題を相違点３，４に係る構成により達成している点に創作性がある旨主張するが、請求項記載の事項は「２つの信号線の信号が共にハイレベルか、共にローレベルになったとき、異常と判定すること」、つまり両信号線の信号レベルを検出して異常と判定することであって、請求人のいうように針金等を挿入して不正操作することによる異常が検出できるものと限定して解釈することはできない（不正操作による異常は検出できるかもしれないが、通常のノイズや事故等による断線・短絡も検出でき、しかもそれらを区別できない）。
　したがって、上記請求人の主張は採用できない。
　さらに、上記した全ての相違点および本件発明の作用効果を総合的に勘案しても、本件発明に格別のものを認めることができない。
　
６．まとめ
　以上のとおり、本件発明は、引用発明１、引用発明２及び周知技術に基づいて、当業者が容易に発明をすることができたものであるから、特許法第２９条第２項の規定により特許を受けることができない。
　したがって、本願は、拒絶されるべきものである。
　よって、結論のとおり審決する。